(57)【要約】【課題】アジテータの回転により氷放出口に氷塊を案内し、安定して氷塊を取出す。【解決手段】氷ディスペンサは、少なくとも底部が円弧状をなす貯氷室２８と、貯氷室２８に回転自在に配設される氷押送部材４２と、貯氷室２８における円弧状底部の周方向に沿って凹設され、氷押送部材４２の端部を周回自在に臨ませる氷案内溝３０と、氷案内溝３０に開設された氷放出口３２とを備えている。氷押送部材４２の端部が、その回転に伴い氷放出口３２へ差し掛かる手前の貯氷室２８の底面２８ａに突条部３４を設ける。この突条部３４は、その一端が氷案内溝３０の側縁へ臨むと共に、他端が氷押送部材４２の回転方向に対し逆らう向きで偏倚的に位置している。【選択図】図２
2005214566.tif 000002
【特許請求の範囲】
【請求項１】
少なくとも底部が円弧状をなす貯氷室(28)と、前記貯氷室(28)に回転自在に配設される氷押送部材(42)と、前記貯氷室(28)における円弧状底部の周方向に沿って凹設され、前記氷押送部材(42)の端部を周回自在に臨ませる氷案内溝(30)と、前記氷案内溝(30)に開設され、前記氷押送部材(42)により押送される氷塊を外部へ放出する氷放出口(32)とからなる氷ディスペンサにおいて、
前記氷押送部材(42)の端部が、その回転に伴い前記氷放出口(32)へ差し掛かる手前の貯氷室底部(28a)に突条部(34)を設け、この突条部(34)は、その一端が前記氷案内溝(30)の側縁へ臨むと共に、他端が該氷押送部材(42)の回転方向に対し逆らう向きで偏倚的に位置するよう構成した
ことを特徴とする氷ディスペンサ。
【請求項２】
前記氷押送部材(40)の側方には、その端部が前記突条部(34)に臨んで、かつ該突条部(34)に干渉しない位置を該氷押送部材(40)と同軸的に回転する撹拌部材(46)を備えている請求項１記載の氷ディスペンサ。
【請求項３】
前記突条部(34)における氷案内溝(30)の側縁に臨む一端は、前記氷放出口(32)に近接している請求項１または２記載の氷ディスペンサ。
【発明の詳細な説明】
【技術分野】
【０００１】
この発明は、多量の氷塊を貯蔵する貯氷室に配設され、氷塊を撹拌すると共に、必要に応じて貯氷室から外部へ氷塊を放出し得る氷押送部材を備えた氷ディスペンサに関するものである。
【背景技術】
【０００２】
多量の氷塊をケーシング内に貯蔵して、必要に応じて取出しできるよう構成した氷ディスペンサが、広く用いられている(例えば、特許文献１参照)。この氷ディスペンサは、図６に示すように、多量の氷塊を貯蔵するケーシング１０の内部に、回動可能に設けられて氷塊を撹拌しつつ案内するアジテータ１２を備え、このアジテータ１２により貯蔵された氷塊のアーチングやブロッキング等を防止すると共に、該アジテータ１２により撹拌案内された氷塊をケーシング１０の氷放出口１０ａから放出するようになっている。
【０００３】
前記アジテータ１２は、前記ケーシング１０の内部に左右方向に平行に架設された回転軸１４と、この回転軸１４の中間部位から半径方向に延出された長手状案内部材１６,１６と、該回転軸１４の左右に夫々互いに逆送りピッチに周設された螺旋状ワイヤ１８,１８とから構成されている。前記ケーシング１０の内周面には、その左右方向の中央部に氷案内溝１１が形成されており、前記長手状案内部材１６の先端が該氷案内溝１１内を移動するようになっている。また、前記氷放出口１０ａは、前記氷案内溝１１における最下部より高い位置に設けられ、この氷放出口１０ａの開口部直上に、左右方向の断面が偏平状の突起１９が氷案内溝１１の底面から突出形成されている。すなわち、前記アジテータ１２を回動させることにより、前記ケーシング１０内の各螺旋状ワイヤ１８,１８の近傍に位置する氷塊が撹拌されつつ回転軸１４の中央に向けて左右から案内されていく。そして、前記螺旋状ワイヤ１８,１８に案内された氷塊が氷案内溝１１に落ち込むと、この氷塊が長手状案内部材１６により氷案内溝１１に沿って順次案内されて押上げられて、前記氷放出口１０ａから放出される。ここで、前記氷案内溝１１に沿って案内部材１６により案内されてきた氷塊が、前記突起１９に突き当たることで、例えば氷塊がアーチングを起こしている場合、この氷塊群を崩して個々に分離するよう構成されている。
【特許文献１】実公平５−３３８９３号公報
【発明の開示】
【発明が解決しようとする課題】
【０００４】
ところで、前記ケーシングに貯蔵された氷塊は、経時的にまたはその他の要因で、氷塊同士がくっ付いて、更に前記アジテータ１２に付着してしまうことがある。このような場合、前記アジテータ１２とアーチングした氷塊とが一体的に回転してしまい、前記ケーシング１０内の氷塊が有効に撹拌されないと共に、前記氷放出口１０ａからの氷塊の取出しがスムーズに行なわれない問題が指摘される。また、前記氷案内溝１１に設けられた突起１９では、螺旋状ワイヤ１８,１８に付着した氷塊を効果的に剥離できない欠点がある。
【０００５】
すなわちこの発明は、従来の技術に係る氷ディスペンサに内在する前記問題に鑑み、これらを好適に解決するべく提案されたものであって、氷押送部材の回転により氷放出口に氷塊を案内し、より安定して氷塊を取出し得るよう構成した氷ディスペンサを提供することを目的とする。
【課題を解決するための手段】
【０００６】
前記課題を克服し、所期の目的を達成するため、本発明に係る氷ディスペンサは、
少なくとも底部が円弧状をなす貯氷室と、前記貯氷室に回転自在に配設される氷押送部材と、前記貯氷室における円弧状底部の周方向に沿って凹設され、前記氷押送部材の端部を周回自在に臨ませる氷案内溝と、前記氷案内溝に開設され、前記氷押送部材より押送される氷塊を外部へ放出する氷放出口とからなる氷ディスペンサにおいて、
前記氷押送部材の端部が、その回転に伴い前記氷放出口へ差し掛かる手前の貯氷室底部に突条部を設け、この突条部は、その一端が前記氷案内溝の側縁へ臨むと共に、他端が該氷押送部材の回転方向に対し逆らう向きで偏倚的に位置するよう構成したことを特徴とする。
【発明の効果】
【０００７】
本発明に係る氷ディスペンサによれば、氷押送部材の端部が、その回転に伴い氷放出口へ差し掛かる手前の貯氷室底部に突条部を設け、この突条部の一端が氷案内溝の側縁へ臨むと共に、他端が氷押送部材の回転方向に対し逆らう向きで偏倚的に位置するよう構成することで、氷塊が突条部に突き当たってアーチングを解消すると共に、該突条部により回転方向への移動が阻まれた氷塊が突条部に沿って氷放出口に案内されるから、より安定して氷塊を取出すことが可能となる。特に、貯氷室に貯蔵された氷塊が少なくなっても、氷案内溝に位置していない氷塊を該氷案内溝に導くことができるから、常に安定した氷塊の放出量を維持することができる。また、前記貯氷室底部の突条部に臨んで、かつ該突条部に干渉しない位置を氷押送部材と同軸的に回転する撹拌部材を備えているので、貯氷室における氷塊の流動をより促すと共に、該撹拌部材により氷塊が好適に案内される。更に、前記突条部における氷案内溝の側縁に臨む一端を、前記氷放出口に近接して設けることで、該突条部で氷案内溝へ氷塊を案内するだけでなく、氷放出口に氷塊を直接導いて、より円滑な放出を補助することができる。
【発明を実施するための最良の形態】
【０００８】
次に、本発明に係る氷ディスペンサにつき、好適な実施例を挙げて、添付図面を参照して以下に説明する。ここで、氷ディスペンサにおいて、氷放出口が設けられる側面を前側とする。
【実施例】
【０００９】
図１は、実施例の氷ディスペンサの貯氷部分であるディスペンサ部２０を示す側断面図であって、該ディスペンサ部２０に氷塊を供給する製氷機構および製氷機構を冷却する冷却機構は図示を省略してある。実施例のディスペンサ部２０は、氷ディスペンサの意匠面を構成する外装２１の内部に、製氷機構で製氷された氷塊を貯蔵する貯氷室２８を内部画成した貯氷庫２２と、該貯氷室２８の底部における左右方向の中央部に凹設され、貯氷庫２２の外部に連通する氷放出口３２が設けられた氷案内溝３０と、該貯氷室２８に回転自在に配設されたアジテータ４０と、このアジテータ４０を回転駆動するモータ５０とを備え、貯氷室２８に貯蔵した氷塊をアジテータ４０で撹拌すると共に、このアジテータ４０で氷塊を外部に放出し得るよう構成されている。
【００１０】
図２〜図４に示すように、前記貯氷庫２２は、内箱と外箱とで画成される空間部分に断熱材を充填した断熱箱体であって、内部に氷塊を受容する貯氷室２８が設けられ、その上部に設けた通孔２２ａ(図１参照)から製氷機構で製氷された氷塊が流入し、受容した所要量の氷塊を貯蔵し得るようになっている。前記貯氷庫２２は、その前壁部２４および後壁部２５と底部とがなす隅角部分が面取りされた如き傾斜形状に形成され、上方から下方へ向かうにつれて窄まっている(図３参照)。ここで、前記貯氷庫２２の底部における傾斜形状は、後述する前後方向に円弧形状に形成された貯氷室２８の底部形状に対応させて形成されている。前記貯氷庫２２において、前側に臨む前側傾斜壁部には、前記貯氷室２８の底面から所要の高さ位置に氷放出口３２が設けられている。そして、前記貯氷庫２２の底部における前側を、上方から下方に向かうにつれて後傾させることで、前記氷放出口３２の下部に、該氷放出口３２から放出される氷塊を受容するために、容器を挿入し得るスペースを確保している。また、前記貯氷庫２２の底部における後側を、上方から下方に向かうにつれて前傾させることで、該貯氷庫２２の外面をなす後側傾斜壁部と、この後側傾斜壁部と対向する氷ディスペンサの外殻をなす長方形箱状の外装２１との間に、所要の空間３６が確保される(図１参照)。
【００１１】
前記貯氷庫２２に内部画成された貯氷室２８は、その底部が該貯氷庫２２の前壁部２４から後壁部２５に亘って、上方に開放した少なくとも円弧状に形成されている(図３参照)。また、前記貯氷室２８の底部における左右方向の略中央部には、円弧の周方向(前後方向)に沿って延在する氷案内溝３０が凹設され、該氷案内溝３０に後述するアジテータ４０の氷押送部材４２の端部が周回自在に臨むようになっている。実施例の氷案内溝３０は、前記貯氷庫２２の内壁面において、前記前壁部２４の上端から後壁部２５側の円弧状部分の終端まで形成されている。また前記氷案内溝３０における円弧状の底面３０ａは、前記貯氷室２８の底面(貯氷室底部)２８ａの円弧状部分と同心円の関係にある。すなわち、前記貯氷室２８の底部は、氷塊が案内される氷案内溝３０の底面３０ａと、該氷案内溝３０を挟んで貯氷室２８における左右の各側壁部２６,２６との間の貯氷室２８の底面２８ａ,２８ａとの間で、氷案内溝３０側が下がった段差状になっている(図４参照)。なお、前記貯氷室２８の底面２８ａ,２８ａおよび氷案内溝３０の底面３０ａについて、その左右方向は水平に延在している。
【００１２】
前記貯氷庫２２の前側傾斜壁部に設けられる氷放出口３２は、前記氷案内溝３０における前側の円弧部分において、その最下部より上方に位置して前記底面３０ａで開口している。図１に示すように、前記氷放出口３２の外側に臨む先端部には、該氷放出口３２から放出される氷塊を受容して飛散を防止する漏斗状のシュート部材３７が配設され、該シュート部材３７の終端に置かれた図示しない容器に好適に氷塊を案内し得るようになっている。また前記貯氷庫２２の外部には、前記氷放出口３２を開閉自在に閉成する蓋部材３８と、この蓋部材３８を開閉するソレノイド等を利用した開閉手段３９とが設けられ、必要に応じて開閉手段３９を駆動して蓋部材３８を開放することで、前記アジテータ４０の回転により氷放出口３２から所要量の氷塊を取出し得るようになっている。
【００１３】
前記貯氷室２８の底面２８ａには、前記アジテータ４０の氷押送部材４２の端部が、その回転に伴い前記氷放出口３２へ差し掛かる手前の該底面２８ａに突条部３４が設けられ、この突条部３４は、その一端が前記氷案内溝３０の側縁へ臨むと共に、他端が該アジテータ４０の回転方向に対し逆らう向きで偏倚的に位置している。すなわち、前記突条部３４は、前記氷案内溝３０を挟む左右の底面２８ａ,２８ａにおいて、該貯氷室２８の各側壁部２６側から氷案内溝３０側へ向かうにつれて、前記アジテータ４０の回転方向後側から前側に傾斜している。左右の突条部３４,３４は、断面三角形状であって、その頂部が前記貯氷室２８の内方へ臨むと共に、各側壁部２６から氷案内溝３０の側縁部に亘る底面２８ａ,２８ａにおける左右方向の全体にかけて延在し、該氷案内溝３０を挟んで対称的に形成されている。また各突条部３４は、前記貯氷室２８における最下部より高い位置に開口する氷放出口３２の下部開口縁、すなわち前記アジテータ４０の回転方向後側の縁へ向けて各側壁部２６側から上方傾斜するよう左右方向に延在し、その端部が該氷放出口３２の下部開口縁に近接している(図４参照)。
【００１４】
前記アジテータ４０は、前記貯氷室２８の左右方向に水平に延在して、回転自在に架設された回転軸４１と、前記氷案内溝３０に対応して回転軸４１の略中央部に設けられた複数の氷押送部材４２と、この氷押送部材４２の左右に離間して回転軸４１に夫々配設された撹拌部材４６とから構成されている。ここで前記回転軸４１は、前記貯氷室２８の底部および氷案内溝３０を構成する円弧の中心に沿って配設されている。また前記回転軸４１は、前記貯氷庫２８の左右両側壁部２６,２６に夫々設けられた軸受５２で回転自在に軸支され、後述するモータ５０により回転軸４１を回転することで、氷押送部材４２および撹拌部材４６は同軸的に回転するよう構成される。すなわち、前記氷押送部材４２および撹拌部材４６の先端が、前記回転軸４１の回転により描く回転軌跡は、前記貯氷室２８の底面２８ａおよび前記氷案内溝３０の底面３０ａをなす円弧と同心円の関係となっている。
【００１５】
前記氷押送部材４２は、前記回転軸４１から半径方向に延出する案内棒４３と、この案内棒４３の先端に設けられた案内爪４４とから構成され、前記氷案内溝３０に対応するよう設けられる。前記氷押送部材４２は、前記回転軸４１の周方向に所要間隔で延出されて、実施例では９０°ピッチで４本延出している。前記案内棒４３は断面円形の棒状体であり、その延出長さは、先端に設けた案内爪４４が底部に至った際に、該案内爪４４の一部が前記氷案内溝３０内に臨む寸法に設定されている。また前記案内爪４４は円筒形であって、前記案内棒４３の先端に対して軸方向の略中間部の周面で接合され、該案内棒４３と案内爪４４とはＴ字状の関係になっている。前記案内爪４４は、その軸方向が貯氷室２８の左右方向に延在すると共に、前記氷案内溝３０の幅より小寸法に設定されている。すなわち、前記案内爪４４の周面と氷案内溝３０の底面３０ａとは向かい合い、その間隔は氷塊の通過できない程度に設定される。前記氷押送部材４２は前記回転軸４１の回転に伴い、前記貯氷室２８に貯蔵されている氷塊を撹拌して流動を促すと共に、前記氷案内溝３０に案内爪４４が整合した際に、該氷案内溝３０に位置している氷塊を前記氷放出口３２へ向けて案内するよう機能する。
【００１６】
一方、前記撹拌部材４６は断面円形の棒状体であって、前記回転軸４１における前記氷押送部材４２と左右の側壁部２６との間に夫々配設され、該回転軸４１の半径方向に延出した撹拌棒４７と、この撹拌棒４７の先端を折曲することで形成された撹拌爪４８とから構成される。前記撹拌棒４７の先端に形成される撹拌爪４８は、該撹拌棒４７の先端がアジテータ４０の回転方向後側に折曲された後、前記貯氷室２８の側壁部２６側から中央部へ向けて左右方向に延在するよう折曲してある。すなわち前記撹拌爪４８において、前記左右方向に延在する部位は、その周面が貯氷室２８の底面２８ａに延在する突条部３４に臨んでいる。実施例の撹拌部材４６,４６は、前記氷押送部材４２を挟む左右の回転軸４１に夫々一本ずつ配設されると共に、両撹拌部材４６,４６は回転軸４１に対して周方向に１８０°変位させた関係で配設されている。また、前記撹拌部材４６は、前記回転軸４１に対して９０°ピッチで延出している氷押送部材４２,４２の間に位置するように設定され、側面視において氷押送部材４２と４５°程度変位して設けられている(図３参照)。前記撹拌部材４６の延出寸法は、前記回転軸４１と前記突条部３４の上端との間隔より短く設定され、該撹拌部材４６が回転する際に突条部３４に干渉しない長さとなっている。そして、前記撹拌部材４６は前記回転軸４１の回転に伴い、貯氷室２８に貯蔵されている氷塊を撹拌して流動を促すと共に、該貯氷室２８の底面２８ａに位置している氷塊を前記突条部３４に向けて案内するように機能する。
【００１７】
前記ディスペンサ部２０の後部において、前記貯氷庫２２の外面と外装２１がなす空間３６にモータ５０が配設されている。前記モータ５０の駆動軸には、第２プーリ５６が配設され、前述した回転軸４１に配設された第１プーリ５４との間にベルト５８が巻掛けられており、該モータ５０により回転軸４１を所要方向(案内爪４４が最下部から氷放出口３２に向かう方向)に回転するようになっている。
【００１８】
〔実施例の作用〕
次に、実施例に係る氷ディスペンサの作用について説明する。先ず、前記貯氷室２８に貯蔵された氷塊を前記アジテータ４０により搬出する工程について説明する。(１)前記モータ５０を駆動すると、該モータ５０の回転がベルト５８を介してアジテータ４０の回転軸４１に伝達されて該アジテータ４０が周方向へ回転を開始する。このとき、前記回転軸４１に配設された氷押送部材４２および撹拌部材４６も一体的に回転する。また、前記氷放出口３２の外部開口を覆っていた蓋部材３８が、前記開閉手段３９により開放される。(２)前記氷押送部材４２および撹拌部材４６の回転により、前記貯氷室２８に貯蔵されている氷塊が撹拌され、アーチングやブロッキング等を起こしている氷塊が崩されて個々に分離されると共に、氷塊の流動を促すことで、アーチングやブロッキング等の発生を防止する。(３)また、前記氷案内溝３０に落ち込んでいる氷塊が、氷押送部材４２の先端に配設されている案内爪４４に押送され、前記氷放出口３２へ向けて該氷案内溝３０に沿って案内されて該氷放出口３２から放出される。(４)これと同時に、前記撹拌部材４６の先端に形成された撹拌爪４８が、貯氷室２８の底面２８ａにある氷塊を該底面２８ａに沿って案内していく。(５)そして、前記貯氷室２８の底面２８ａに突設された突条部３４により、該底面２８ａを案内されてきた氷塊の移動が阻まれる。前記突条部３４は、前記貯氷室２８の各側壁部２６から氷案内溝３０に向かうにつれて、回転方向後側から前側に傾斜しているから、撹拌に伴い更に氷塊が押されることで、該突条部３４において左右方向に偏倚する傾斜に沿って氷塊が案内されて氷案内溝３０に落ち込む。(６)前記貯氷室２８の底面２８ａから氷案内溝３０に落ち込んだ氷塊が、前記氷押送部材４２に押されて氷放出口３２から放出される。更に前記突条部３４は、前記氷放出口３２の下部開口縁に向けて傾斜が設けられているので、該突条部３４に沿って運ばれた氷塊のうち一部が氷放出口３２から直接放出される。なお、これら一連の搬出工程は、前記アジテータ４０の回転に伴い連続して行なわれる。
【００１９】
前記貯氷室２８の底面２８ａに、前記氷放出口３２へ向けて上方傾斜する突条部３４を設けることで、前記氷押送部材４２および撹拌部材４６により流動されてきた氷塊が、該突条部３４に進路を阻まれて抵抗を受ける。すなわち、前記アジテータ４０において、前記氷押送部材４２または撹拌部材４６と付着してアーチングした氷塊が、該アジテータ４０と一体的に回転した場合であっても、一体回転している氷塊が前記突条部３４に突き当たることで、氷押送部材４２または撹拌部材４６から剥離される。このように、アーチングやブロッキング等を起こしている氷塊間のバランスを崩して氷塊のアーチング等を解消し、個々の氷塊に分離することで、前記氷放出口３２から氷塊をスムーズに搬出し得る。
【００２０】
また前記突条部３４を、各側壁部２６から氷案内溝３０に向かうにつれて、前記アジテータ４０の回転方向後側から前側に傾斜するように配設すると共に、該突条部３４における氷案内溝３０側の端部が前記氷放出口３２の下部開口縁に近接して位置しているから、突条部３４により回転方向への移動を妨げられた氷塊が、該アジテータ４０の回転により案内されてくる後続の氷塊に押されて、該突条部３４の壁面に沿って導かれ、氷案内溝３０に開口する氷放出口３２に向けて案内される。すなわち、前記氷案内溝３０に落ち込んでいる氷塊だけでなく、前記アジテータ４０による撹拌に伴い貯氷室２８の底面２８ａに存在している氷塊も氷案内溝３０に移動するから、該氷押送部材４２により安定して氷塊を取出すことが可能となる。特に、前記貯氷室２８に貯蔵された氷塊が少なくなっても、前記氷案内溝３０に位置していない氷塊を該氷案内溝３０に導くことができるから、常に安定した氷塊の放出量を維持することができる。従って、前記貯氷室２８の底面２８ａについて、各側壁部２６から氷案内溝３０に向けて該氷案内溝３０に氷塊を導くように下方傾斜を設けたホッパー形状とする必要はなく、貯氷室２８の貯氷容量を大きく設定できるメリットがある。
【００２１】
前記アジテータ４０は、前記氷案内溝３０に臨む氷押送部材４２と、前記貯氷室２８における該氷案内溝３０を挟む左右の底面２８ａ側に臨む撹拌部材４６とから構成され、前記貯氷室２８の全体に亘る夫々の領域に対応して撹拌する部材を夫々備えているから、アーチングやブロッキング等の発生をより好適に抑制し得る。また前記アジテータ４０は、複数の氷押送部材４２を備えているから、前記氷案内溝３０に至った一の氷押送部材４２が氷塊を氷放出口３２へ案内すると同時に、撹拌部材４６で貯氷室２８の他の領域が撹拌されるので、前述した突条部３４の作用を利用して貯氷室２８の底面２８ａに位置する氷塊を氷放出口３２へ案内することも可能である。更に、前記貯氷室２８に配設されて氷塊と当接する回転部分である氷押送部材４２、撹拌部材４６および回転軸４１が断面円形であり、その周面がＲ形状となっているので、アジテータ４０と氷塊との引っ掛かりを抑制して、前記モータ５０にかかる負荷を軽減すると共に、氷塊の割れを防止している。特に、４角や星形等の所要形状に氷塊を成形した際に、氷塊の割れを抑制して氷塊の商品価値を低下させることはない。
【００２２】
従来例で示したアジテータ１２は、ケーシング１０における氷放出口１０ａが設けられる前側に偏倚して配設されているから、ケーシング１０の後側は撹拌され難いので、該アジテータ１２の撹拌半径より過剰にケーシング１０を広くすると、貯氷量が増える利点があるが、氷塊が撹拌されないデッドスペースが生じてしまう(図６参照)。すなわち、貯氷室のデッドスペースにおいて、アーチングやブロッキング等が発生することがあり、内部の氷塊を有効に利用できない難点があると共に、氷塊の放出に際して安定した量が得られない問題が指摘される。そこで、実施例の貯氷庫２２は、後側の底部部分を斜めに切り欠くことで、氷塊が撹拌されないデッドスペースを作らないようして、アーチングの発生を抑制している。また、前記外装２１と貯氷庫２２の外面との間に、空間３６が生じるから、この空間３６にモータ５０を配設することができる。従来、ストッカの下方に配設されていたモータにより氷ディスペンサ自体の高さ方向の寸法が大きくなっていたが、空間３６にモータ５０を配設することで、氷ディスペンサ自体の高さを低くすることが可能となった。
【００２３】
〔変更例〕
実施例のアジテータ４０は、貯氷室２８の氷塊を撹拌および氷放出口３２へ案内するため、氷押送部材４２と撹拌部材４６とを備えているが、少なくとも氷案内溝３０に臨む氷押送部材４２を備える構成であれば、撹拌部材４６を省略した構成も採用し得る。図５に示すように、変更例のアジテータ６０は、回転軸４１の略中央部から半径方向に複数の氷押送部材４２のみが延出した構成になっている。すなわち、前記アジテータ６０が回転すると、複数の氷押送部材４２を備えているから、前記氷案内溝３０に至った一の氷押送部材４２が氷塊を氷放出口３２へ案内すると同時に、他の氷押送部材４２で貯氷室２８の他の領域が撹拌されるので、前述した突条部３４の作用を利用して貯氷室２８の底面２８ａに位置する氷塊を氷放出口３２へ案内することも可能である。このように、前記貯氷室２８の底面２８ａに対応した撹拌部材を設けなくても、該貯氷室２８の底面２８ａに位置している氷塊を氷案内溝３０に導くことができる。従って、前記アジテータ６０の構成が簡単になることによりコストを削減することができる。
【図面の簡単な説明】
【００２４】
【図１】本発明の好適な実施例に係る氷ディスペンサのディスペンサ部を示す側断面図である。
【図２】実施例の氷ディスペンサの貯氷庫を一部切り欠いて示す概略斜視図である。
【図３】実施例の氷ディスペンサの貯氷庫を示す図２のＡ矢視図である。
【図４】実施例の氷ディスペンサの貯氷庫を示す図２のＢ矢視方向から見た断面図である。
【図５】変更例の氷ディスペンサの貯氷庫を一部切り欠いて示す概略斜視図である。
【図６】従来の氷ディスペンサの貯氷庫を一部切り欠いて示す概略斜視図である。
【符号の説明】
【００２５】
２８ 貯氷室，２８ａ 貯氷室底部(底面)，３０ 氷案内溝，３２ 氷放出口
３４ 突条部，４２ 氷押送部材，４６ 撹拌部材
【図１】
2005214566.tif 000003
【図２】
2005214566.tif 000004
【図３】
2005214566.tif 000005
【図４】
2005214566.tif 000006
【図５】
2005214566.tif 000007
【図６】
2005214566.tif 000008